Podtech/llm-jp-corpus-v4-ja_patent huggingface dataset:
(57)【要約】      （修正有）【課題】切粉がブレードカバー外に漏出しないようにすると共に、切粉がブレードカバーの壁に衝突する際の衝撃を緩和してブレードカバーの損傷を軽減し更に切断時の騒音の伝播を軽減することができるブレードカバーを提供する。【解決手段】回転ブレードを収容するブレードカバー１であって、カバー本体の一側部には送風口２が設けてあり、カバー本体の反対側にはカバー本体の底面から上方に向かって曲面とした底部３１を有する吸引排気口３を設ける。また、カバー本体の底面には切粉が隙間から漏出するの防止するためのブラシ４を設け、更に、カバー本体背面の中央の切欠６の周縁にブラシ４１が設け、カバー本体内面には吸音材７を貼り付ける。【選択図】図２
0003171688.tif 000002
【実用新案登録請求の範囲】
【請求項１】
回転ブレードを収容するブレードカバーであって、カバー本体の一側部には送風口が設けてあり、カバー本体の反対側にはカバー本体の底面から上方に向かってＲを形成した吸引排気口が設けてあり、カバー本体の底面には切粉が漏出するの防止するためのブラシが設けてあり、更に、カバー本体背面の中央縦方向に設けた切欠の周縁にブラシが設けてあるブレードカバー。
【請求項２】
請求項１において、更にカバー本体内面に吸音材が貼り付けてあるブレードカバー。
【考案の詳細な説明】
【技術分野】
【０００１】
本考案は、回転ブレードを有するカッターで切断したコンクリート等の切粉が周囲に飛散して環境に悪影響を与えることなく回収できるようにするブレードカバーに関する。
【背景技術】
【０００２】
舗装道路やコンクリート製または鉄筋コンクリート製の建造物の床面または壁面などの切断は、円形の回転ブレードを有するカッターによっておこなわれている。
切断時のブレードの温度上昇を防止して切断効率を維持することがおこなわれているが、冷却水を使用して冷却する湿式（ウエット）と空気で冷却する乾式（ドライ）とがある。
【０００３】
湿式の場合、冷却水を供給するため給水タンク及び冷却水を切断現場に送水するためのポンプが必要であり、冷却水は回転刃に供給されて温度を低下させると共に切断によって生じる切粉を排出するものであるが、コンクリート粉は冷却水に混合されて泥水となり、産業廃棄物となり、その排気処分に手間と費用がかかっていた。
【０００４】
乾式の場合、ブレードの冷却に冷却水を使用することなく、空気によって回転ブレードを冷却するものであり、切粉は冷却用の空気流に連行され、この空気流をフィルターバッグ等に導いて回収している。しかし、湿式に比較して冷却効率が低いため切断効率が低下し、また、焼きつきを起こすなどの問題がある。
【０００５】
この問題を解消するため、図３に示すノズルを使用して水を水滴または霧状にしてブレードカバー内のブレードに吹きかけ、ブレードを冷却すると共に切粉に水分を含ませて回収処分しやすいようにすることが提案されている。（特開２００１−２１９４２２号公報参照）
【先行技術文献】
【特許文献】
【０００６】
【特許文献１】特開２００１−２１９４２２号公報
【考案の概要】
【考案が解決しようとする課題】
【０００７】
乾式の場合、切断に伴って発生する切粉は、回転ブレードによって生ずる空気流によって運ばれ、吸引口からブレードカバー外に排出されるが、高速の空気流中の切粉が吸引口の壁に衝突し、側壁が磨耗するので、ブレードカバーの消耗が激しいものであった。
また、回転ブレードの駆動軸を通すための切欠がブレードカバーの背面側に設けてあるため、この切欠から切粉がブレードカバー外に飛散し、環境汚染を引き起こし、飛散した切粉を回収しなければならなかった。
そこで、本考案は、切粉がブレードカバー外に空気流に乗って漏出しないようにすると共に、切粉がブレードカバーの壁に衝突する際の衝撃を緩和してブレードカバーの損傷を軽減し、更に切断時の騒音の伝播を軽減するものである。
【課題を解決するための手段】
【０００８】
本考案のブレードカバーは、カバー本体の一側部には送風口が設けてあり、カバー本体の反対側にはカバー本体の底面から上方に向かってＲを形成した吸引排気口が設けてあり、カバー本体の底面には切粉が空気流と共に漏出するの防止するためのブラシが設けてあり、更に、カバー本体背面の中央の切欠の周縁にブラシが設けてあり、カバー本体の内面には吸音材が貼り付けてあるブレードカバーである。
【考案の効果】
【０００９】
本考案のブレードカバーによって乾式切断の際の切粉のブレードカバーからの漏出を防止でき、切粉のブレードカバーへの衝突による損傷を緩和することができ、切断作業時の騒音を軽減することができる。
【図面の簡単な説明】
【００１０】
【図１】本考案のブレードカバーの正面図。
【図２】本考案のブレードカバーの背面図。
【図３】本考案のブレードカバーの側面図。
【図４】従来のブレードカバーの一例の概念図。
【考案を実施するための形態】
【００１１】
以下、本考案を図面に示す実施例を参照して説明する。
図１は、ブレードカバー１の正面図である。ブレード５を収容可能な底面が開放された箱状をしており、底面の両側にはブラシ４が設けてある。ブラシ４は、切断対象物の表面に接触してブレードカバー１から切粉が漏れ出さないようにするものである。
天井はブレード５の円形に合わせて円形としてあり、側面には冷却用の空気を送り込むための送風口２が底部付近に設けてあり、反対側側面の底部にはブレードカバー内の空気を吸引排気する排気口３が設けてある。
【００１２】
吸引排気口３の底部３１はブレードカバー１の底部から延びてＲを付して上方に向けてあり、ホース（図示しない）を接続して吸引ポンプでブレードカバー１内の空気を吸引排気し、切粉を空気流に乗せて排除し、フィルターに導いて処分する。吸引排気口３の底部にＲを付して曲面となっているので、切粉を含んだ空気流は滑らかに方向が変換されるので、切粉がブレードカバー１の側壁に衝突する衝撃が和らげられ、損傷を小さくすることができ、寿命を延ばすことができる。
図３の側面図に示すように、吸引排気口３は、カバー本体の側壁底部に全幅の排出口が設けてあり、底部にＲが付してあって断面が絞り込まれて上方に開口を有する吸引排気口３となっている。
【００１３】
ブレードカバー１の背面は図２に示すように、中央部の縦方向に回転ブレード５の駆動軸を通すための切欠６が設けてあり、切欠６の周縁には、切粉が漏れ出すのを防止するためのブラシ４１が設けてある。ブレード５による切断の進行に伴ってブレード５が切断対象物に入りこんで行くので、ブレード５の回転駆動軸は切欠６を下降して切断が続行される。
カバー本体の内壁には吸音材７が貼り付けてある。吸音材は、切断音の周波数を吸収するものを選択する。吸音材を設けていない場合は切断に伴う騒音が８５フォンであったが、吸音材を設けることにより７０〜７５フォンに軽減することができた。
【符号の説明】
【００１４】
１    ブレードカバー
２    送風口
３    吸引排気口
３１  吸引排気口底部
４    ブラシ
４１  ブラシ
５    ブレード
６    切欠
７    吸音材
【図１】
0003171688.tif 000003
【図２】
0003171688.tif 000004
【図３】
0003171688.tif 000005
【図４】
0003171688.tif 000006
(57)【要約】      （修正有）【課題】室内に設置して、物干し竿を簡便な作業で上昇、停止、下降させる事が出来るようにして、洗濯物の乾きを早くし、洗濯物下部の、見通しを良くし、通行を妨げない昇降式物干し竿を提供する。【解決手段】上端に軸受を備えた伸縮固定自在のポール２本を床と天井に突っ張り式に立て、軸受間に伸縮固定自在の伝導軸、歯車、ドラムを設け、操作側ポールの下部の滑車と歯車間に取り付けたベルトを上下動して、ドラムに巻き取られるワイヤに両端側を固定した伸縮固定自在の物干し竿を昇降させる。【選択図】図１
0003171601.tif 000002
【実用新案登録請求の範囲】
【請求項１】
部屋の任意の場所に、各々の上端に軸受３を備えた伸縮固定自在のポール１を２本適宜距離を離して床と天井に突っ張り式に立て、前記２個の軸受３に伸縮固定自在の伝導軸５を取り付け該伝導軸５には前記ポール１の一方である操作側に歯車６とドラム７を、非操作側にはドラム７のみを設け、前期歯車６と操作側ポール１の下部に設けた位置調整可能な滑車９との間にベルト８を掛け、該ベルト８を手で上下動し定位置でフック１０に固定することにより、ドラム７に巻き取られるワイヤ１２に両端側を固定した伸縮固定自在の物干し竿１１を昇降させ一定の高さで保持することを特徴とした昇降式物干し竿。
【考案の詳細な説明】
【考案の概要】
【技術分野】
【０００１】本考案は、室内に設置する洗濯物干し装置に関する。
【背景技術】
【０００２】従来の物干し装置は、本体フレームがあり、それを吊るす装置を天井面に取り付ける必要があり、天井面の補強など課題が多い。（例えば参考文献１参照）
【先行技術文献】
【特許文献】
【０００３】
【特許文献１】特開２００７−３２５７５４号公報
【考案の概要】
【考案が解決しようとする課題】
【０００４】室内に洗濯物を干す場合、天井付近の高所に干したほうが、上部温度が高いので乾きが早い。
又、洗濯物の下部空間が広いので見通しがよく、通行の妨げにならない。
しかしながら、高所に干すので踏み台等に乗り、位置を変えながら作業しなければならず転落の危険を伴うなど大変な作業になる。従って物干し竿を昇降させることにより前述の欠点を解決しようとするものである。
【課題を解決しようとするための手段】
【０００５】部屋の任意の場所に、各々の上端に軸受を備えた伸縮固定自在のポールを２本適宜距離を離して床と天井に突っ張り式に立て、前記２個の軸受に伸縮固定自在の伝導軸を取り付け、該伝導軸に前記ポールの一方である操作側に歯車とドラムを、非操作側にはドラムにみを設け、前記歯車と前記操作側ポールの下部に設けた位置調整可能な滑車との間にベルト８を掛け、該ベルトを手で上下動し定位置でフックに固定することにより、前記ドラムに巻き取られるワイヤに両端側を固定した伸縮固定自在な物干し竿を昇降させ一定の高さ保持する。
【考案の効果】
【０００６】本考案の昇降式物干し竿は、簡便に組み立てる事が出来、部屋の壁、床、天井に取り付け傷をつけずに設置出来る。また歯車とドラムの直径比により、物干し竿を引き上げる力も大幅に軽減される。又乾燥機などの様にエネルギーを一切使用しないので、家計にやさしく、ひいては省エネルギーに寄与する。
【図面の簡単な説明】
【０００７】
【図１】本考案の昇降式物干し竿の実施例を示す正面図である。
【図２】本装置の駆動部を示す斜視図である。
【図３】本装置の歯車と穴開きベルトの詳細図である。
【考案を実施するための形態】
【０００８】  本考案を実施するための形態を図１，２を用いて説明する。
上端に軸受３を取り付けた、伸縮が自在で固定可能なポール１を２本、部屋の任意の場所に床と天井に突っ張り式にて立てる。伝導軸５は伸縮自在とし、例えば差込式にて２本に分割出来るようにし、伝導軸５の操作側に、端より歯車６、巻き取りドラム７、非操作側はドラム７のみを設ける。
２本に分割した伝導軸５を各々軸受３に挿着して、２本を差込式にて１本にする。
【０００９】ベルト８の一例として、歯車６に、それにピッチにあわせた穴開きベルト８を掛け、リング状の他端を人間の腰あたりの高さに設けた位置調整可能な滑車９に掛けて、その位置を下げ、ベルト８を張って、滑車９を固定する。
【００１０】伸縮固定自在の物干し竿１１の両端側と２個の巻き取りドラム７を、竿を上下できる範囲の長さの２本のワイヤ１２で連結する。
図１〜図２において、物干し竿１１は１本の例で示したが、例えば水平に複数の竿を並列に並べた構造としてもよい。洗濯物が多い状況に対応できる。
【００１１】滑車９の少し上のポール１に、金属性の下向きのフック１０を、金属製固定バンドにて取り付ける。
【００１２】これで装置全体が完成する。ベルト８を手で下向きにワイヤを巻き取る方向に引っ張ると、竿１１は上昇する。ベルト８の穴をフックに掛けると竿１１は固定する。ベルト８をフックからはずすと、自重で竿１１は下降する。
【実施例】
【００１３】以下、図面に従って一実施例を説明する。１は耐久性のプラスチック素材にて作られた、伸縮継ぎ手２を有するポールであって、上端に軸受３を内臓した軸受けセットを、すべり止めゴム４を下端に取り付け、ポール１を２本で１組とする。これらを部屋も中の任意の２地点に突っ張り式にて床、天井に固定する。【００１４】伝導軸５は二分割して差込式とし、伸縮と固定を自在とする。伝導軸５の両端は軸受３に取り付ける。伝導軸５の両端に、操作側には歯車６、となりにワイヤ巻取り用のドラム７を、非操作側にはドラム７のみを設ける。これで門形の装置が出来る。【００１５】次に歯車６に穴開きベルト８を掛け、それの下端はポール１に取り付けた位置調整可能な滑車９に掛け、その位置を下方に移動しベルト８を張る。
図３に本装置の歯車６とベルト８の詳細を示す。【００１６】ベルト８には一定のピッチの穴が開いていて、歯車６に設けた突起によって回転が伝導される。
本図は穴付のベルト８で示したが、その他の平歯車や平ベルトであっても構わない。【００１７】ドラム７と伸縮固定自在な物干し竿１１の両端とを１１の可動域対応の長さのワイヤ１２で連結する。【００１８】これで、装置全体が完成した。操作するには、ベルト８を手でワイヤ１２を巻き取る方向に引きさげると伸縮固定自在な物干し竿１１は上昇する。下向きフック１０にベルト８の穴を引っ掛けると物干し竿１１は固定する。下向きフック１０からベルト８をはずすと物干し竿１１は自重で下降する。【００１９】図１のＡ、Ｂは任意だが、通常はＡ１．８〜２．７メートルＢ２．３〜２．７メートルである。
【符号の説明】
【００２０】  １  ポール
２  ポール伸縮継ぎ手
３  軸受
４  床接地面すべり止ゴム
５  伝導軸
６  歯車
７  ドラム
８  ベルト
９  滑車
１０  フック
１１  物干し竿
１２  ワイヤ
【図１】
0003171601.tif 000003
【図２】
0003171601.tif 000004
【図３】
0003171601.tif 000005
(57)【要約】      （修正有）【課題】指に掛かる負担の大幅な軽減を実現し快適な作業を行う事が可能となるスライドカッターを提供する。【解決手段】片手でみかんなどの採果など枝（果実・茎）を保持し、力を加えると変形し、取り除くと復元する性質の板バネと、回転自在の先端が鋭利な角度を有した円盤状の刃物（チューブカッター刃）２個を組み合わせたスライドカッターをもう一方の手で軽く握り、枝（茎）の切断箇所に当てがいそのまま押し込む。この時、枝（茎）と接触した刃物はハの字形長穴の下方に押し下げられると同時に広がり、枝（茎）が両刃物の隙間を抜けＵ字状の溝の下方に移動する。この時点で、バネ受金具に接触しているバネ先端も連動し広がり枝が下方に移動した後バネの復元力により刃物をハの字形長穴の上方に移動させる。この状態からスライドカッターの取手部を下方に引くと枝（茎）と刃物が接触し切断が完了する。【選択図】図２
0003171604.tif 000002
【実用新案登録請求の範囲】
【請求項１】
取手部（９）と一体化し、Ｕ字形に分かれた本体（３）の中央面にハの字をした長穴（４）を設け、本体（３）の左右面に脱着可能で回転自在の先端が鋭利な角度を有した円盤状のチューブカッター刃（１）をチューブカッター刃取り付けボルト（６）に通しハの字形長穴（４）の裏面から貫通させ表面でバネ受ナット（５）と結合させ、本体（３）の中央にバネ止めボルト（７）で取り付けたバネ（８）の両先端を、バネ受ナット（５）の円周溝面に接触させたスライドカッター。
【考案の詳細な説明】
【技術分野】
【０００１】  この考案は、力を加えると変形し、取り除くと復元する性質のバネと、回転自在の先端が鋭利な角度を有した円盤状の刃物（チューブカッター刃）２個を組み合わせ、ハの字の長穴を双方の刃物が移動することにより刃先の間に枝や茎を挟み引き抜き切断を容易に行う事ができる。
【背景技術】
【０００２】  農作業（みかん、茶摘の収穫など長時間ハサミを使用しなくてはならず、反復動作により指先などへの負担がかかり、腱鞘炎などの病気を引き起こしたり、刃先により受傷していた。特にみかんの収穫の例では、採果の際、みかんの肌に傷を付けなくするため、２度の切断を行わなければ成らず、日に数万回ハサミを使用していた。その為人体には、極度の負担が生じていた。
【考案の概要】
【考案が解決しようとする課題】
【０００３】  みかんなどの採果などハサミによる反復作業により腱鞘炎などの病気や多大な疲労を伴っていたが、スライド式枝切金物を使用することで指に掛かる負担の大幅な軽減を実現し快適な作業を行う事が可能となる。
【課題を解決するための手段】
【０００４】  この課題を解決するための手段として、みかんなどの採果の際、片手でみかんなどを保持し、力を加えると変形し、取り除くと復元する性質のバネと、ハの字の長穴をスライドする回転自在の先端が鋭利な角度を有した円盤状の刃物２個を組み合わせたスライドカッターをもう一方の手で軽く握り、枝（茎）の切断箇所に当てがいそのまま押し込む。この時、枝（茎）と接触した刃物はハの字形長穴の下方に押し下げられると同時に広がり、枝（茎）が両刃物の隙間を抜けＵ字状の溝の下方に移動する。この時点で、バネ受金具に接触しているバネ先端も連動し広がり枝が下方に移動した後バネの復元力により刃物をハの字形長穴の上方に移動させる。この状態からスライドカッターの取手部を下方に引くと枝（茎）と刃物が接触し切断が完了する。
【考案の効果】  この考案の効果として、みかんなどの採果などハサミによる指先の反復作業により腱鞘炎などの病気や多大な疲労を伴っていたが、スライドカッターを仕様する事によりハサミによる指先の反復作業をなくし、単純（握る・押す・引く）作業（人間工学にマッチ）に変える事ができ快適な作業を提供できる。
【図面の簡単な説明】
【０００５】
【図１】この考案の１実施例を示したスライドカッター、（Ａ）は平面図で、（Ｂ）は側面図、（Ｃ）部品組立図である。
【図２】この考案のスライドカッターの使用例を示し、全体作業姿勢を示す、（Ａ）は平面図で、（Ｂ）は側面図、である。
【図３】この考案のスライドカッターの使用例を示し、全体作業姿勢を示す、（Ａ）は平面図で、（Ｂ）は側面図、である。
【図４】この考案のスライドカッターの使用例を示し、全体作業姿勢を示す、（Ａ）は平面図で、（Ｂ）は側面図、である。
【図５】この考案のスライドカッターの使用例を示し、全体作業姿勢を示す、（Ａ）は平面図で、（Ｂ）は側面図、である。
【考案を実施する為の最良の形態】
【０００６】  この考案の最良の形態として、安全性・操作性・耐久性を考慮し、枝（茎）形状、硬さに応じた寸法形状・材質を選定する事が重要である。
【実施例】
【０００７】    そこで、この考案の一実施例を図２〜図５に基づいて詳述すると、みかんなどの採果作業の際、みかんを片手で保持し、スライドカッターの取手部（９）を軽く握り枝（１０）に押し付ける事により２個ある回転自在のチューブカッター刃（１）がハの字形の長穴（４）の下方に広がり枝（１０）は本体（３）のＵ字溝部分の底に移動する。その間、刃物チューブカッター刃（１）はバネ（８）の復元力によりハの字形の長穴（４）の上部に移動する。その後、スライドカッターの取手部（９）を下方に引くと枝（１０）とチューブカッター刃（１）が接触し切断が完了する。【０００８】この考案の構造について説明すると、図（１）に示すように、取手部（９）と一体化しＵ字形をした本体（３）の左右面に回転自在のチューブカッター刃（１）をチューブカッター刃取り付けボルト（６）に通し本体（３）のハの字形長穴（４）の裏面から貫通させ表面でバネ受ナット（５）と結合させ、本体（３）の中央にバネ止めボルト（７）で取り付けたバネ（８）の両先端を、バネ受ナット（５）の溝面に接触させたスライドカッターである。
【産業上の利用可能】
【００９】  この考案のスライド式枝切金物はみかんなどの採果作業の際、ハサミを使用していたが、安全面或いは、疲労など大幅に改善でき人間工学にマッチした製品で果樹の採果、茶摘など用途も多様である。
【符号の説明】
【０１０】１・・・チューブカッター刃        ２・・・案内部
３・・・本体                      ４・・・ハの字形長穴
５・・・バネ受ナット              ６・・・チューブカッター刃取り付けボルト
７・・・バネ止めボルト            ８・・・バネ
９・・・取手部                  １０・・・枝
【図１】
0003171604.tif 000003
【図２】
0003171604.tif 000004
【図３】
0003171604.tif 000005
【図４】
0003171604.tif 000006
【図５】
0003171604.tif 000007
(57)【要約】【課題】ボルトによる設備等の取り付け作業を行う際において、ボルトとワッシャが一体化することで脱落を防ぎ、取り付けの作業性を改善する事を課題とする。【解決手段】内周部に複数個の突起２を備えた樹脂成型によるワッシャ本体１に、ボルト３を通すことにより、突起２がボルト３の溝４に食い込むことで、ワッシャ本体１とボルト３が一体となる。それにより、ボルト取り付け作業時において、ワッシャ本体１がボルト３からの脱落を防ぐことを可能とした。【選択図】図２
0003171602.tif 000002
【実用新案登録請求の範囲】
【請求項１】
本物品は、ワッシャ本体の内周部に複数個の突起を有する樹脂製のワッシャであり、ボルトを本物品に挿入することで、内周部の複数個の突起がボルト溝に食いつく効果でボルトとワッシャが一体化し、脱落を防ぐ事を特長とする脱落防止樹脂製ワッシャ。
【考案の詳細な説明】
【技術分野】
【０００１】    本考案は、ボルトによる設備や部材等の取り付け作業時において、ボルトとワッシャが一体化し、脱落を防ぎ、取り付けの作業性を改善する脱落防止樹脂製ワッシャである。
【背景技術】
【０００２】  従来の一般的に用いられる金属製ワッシャは、ボルトによる設備や部材等の取り付け作業時、ワッシャを手で保持せずボルトにワッシャを挿入させた状態で傾けたり、逆さにすることでボルトから脱落した。また、ボルト頭部を下にした場合には、ワッシャがねじ山最下部まで降りた状態となっていた。
【考案の開示】
【考案が解決しようとする課題】
【０００３】  本考案は、ボルトによる設備や部材等の取り付け作業時にワッシャを手で保持しなくともボルトから脱落させないようにすること及びボルト頭部を下にした場合、ワッシャがねじ山最下部まで降りない状態にすることを課題とし、ボルト締め付け作業におけて、その作業性を効率的に改善させるためのものである。
【課題を解決するための手段】
【０００４】  以上の課題を解決するため、樹脂によりドーナツ状に成型されたワッシャ本体１の内周部に一体成型された複数個の突起２設けたことを特徴とする。
【考案の効果】
【０００５】  ボルト３にワッシャ本体１を挿入することで、複数個の突起２が、ボルト３の溝４に食い込み、ワッシャ本体１とボルト３が一体となることで、ボルト３を傾けたり、逆さにしてもボルト３から脱落しない。またボルト３の頭部を下にした場合でも、ワッシャ本体１をボルト３の溝４の最下部まで降りてこない状態となる。
【考案を実施するための最良の形態】    この考案の一実施形態を、以下に示す。【０００６】図１は、本考案の外観斜視図である。
ワッシャ本体１の内周部に一体成型された複数個の突起２が設けられていることを示した図である。【０００７】図２は、本考案であるワッシャ本体１の内周部に一体成型された複数個の突起２が、ボルト３の溝４に食い込むことでワッシャ本体１とボルト３が一体となることを示した図である。【０００８】「実施形態の効果」
例えば、図５のように、角鋼管７と溝型鋼８のボルト３での結合において、ワッシャ本体１に設けられた複数個の突起２が、ボルト３の溝４に食い込むことでワッシャ本体１とボルト３が一体となる。さらに、ナット６を取りだし、ボルト３へ締める作業場面で、ワッシャ本体１とボルト３が一時的に一体となることで、手で保持しなくとも脱落しない効果が得られ、とりわけ片手のみの作業が強いられる状況において作業性が向上する。
【図面の簡単な説明】
【０００９】
【図１】本考案の外観斜視図である。
【図２】本考案の使用状態を示す図である。
【図３】本考案の立面図である。
【図４】図３のＡ−Ａ断面図である。
【図５】本考案の使用実施例を示した図である。
【符号の説明】
【００１０】    １  ワッシャ本体
２  突起
３  ボルト
４  溝
５  座金
６  ナット
７  角鋼管
８  溝型鋼
【図１】
0003171602.tif 000003
【図２】
0003171602.tif 000004
【図３】
0003171602.tif 000005
【図４】
0003171602.tif 000006
【図５】
0003171602.tif 000007
(57)【要約】      （修正有）【課題】生物資料保存用液体窒素容器内に設置したフロート付き永久磁石と、タンク外部に設置したフロート付き永久磁石を利用して、直観的に液位を目視管理できるタンクレベルセンシングシステムを提供する。【解決手段】生物資料保存用液体窒素容器内１にあるキャニスター２もしくはラック収納ケースにフロート４付き磁石格納ケース３を取り付け容器外壁に取り付けたケース９にもフロート６付き磁石７が存在しそれぞれ連動して容器内の液体窒素レベルを直感的に目視できるように構成する。【選択図】図１
0003171607.tif 000002
【実用新案登録請求の範囲】
【請求項１】
生物資料保存用液体窒素容器内▲１▼にあるキャニスター▲２▼もしくはラック収納ケースにフロート▲４▼付き磁石▲５▼が入った格納ケース▲３▼を取り付け、容器外壁に取り付けた格納ケース▲９▼にもフロート▲６▼付き磁石▲７▼がありそれぞれ連動し直感的に容器内の液体窒素レベルを目視できるレベルセンシングシステム。
【考案の詳細な説明】
【技術分野】
【０００１】  本考案は生物資料保存用液体窒素容器内に設置したフロート付き永久磁石とタンク外部に設置したフロート付き永久磁石を利用したタンクレベルセンシングに関するものである。
【背景技術】
【０００２】生物資料保存用液体窒素容器は通常のサイフォン水位計を組み込むことが出来ずタンク内蓋を開けて専用の物差しを利用してレベル計測もしくは秤、超音波を利用した計測方法であるが直感的なレベル目視確認ができない。
【先行技術文献】
【特許文献】
【０００３】
【特許文献１】
【非特許文献】
【０００４】
【非特許文献１】東栄株式会社  「サーモライン凍結保存容器」カタログ
【考案の概要】
【考案が解決しようとする課題】
【０００５】生物資料保存用液体窒素容器の既存の液体窒素レベルセンシングは外部から直感的に目視確認できず液体窒素のレベル残量確認、補充のタイミングその欠点を解決しようとするものである。
【課題を解決するための手段】
【０００６】本考案は生物資料保存用液体窒素容器内のキャニスターもしくはラック収納ケースに設置したフロート付き磁石と容器外壁に設置したフロート付き磁石が連動することにより容器内の液体窒素レベルを直感的に目視確認でき問題点を解決している。
【考案の効果】
【０００７】本考案は従来の秤、超音波レベル計測方法では出来なかった直感的レベル確認ができ液体窒素補充管理が容易で生物資料保管上に役立つ。
【図面の簡単な説明】
【０００８】
【図１】イ）本考案の生物資料保存用液体窒素容器内に設置したフロート付き磁石格納ケースと容器外壁に貼付設置したフロート付き磁石格納ケース  ロ）本考案の容器外壁に設置したフロート付き磁石格納ケース
【考案を実施するための形態】
【０００９】生物資料保存用液体窒素容器内のキャニスターもしくはラック収納ケースにフロート付き磁石格納ケースを取り付け容器外壁に設置されたケース内にもフロート付き磁石が挿入されていて互いに連動する。容器外壁のフロート付き磁石はインジケーターの役目になる。
【実施例】
【００１０】以下、添付図面に従って一実施例を説明する。
イ）は容器内のキャニスター部に設置するフロート付き磁石格納ケース  ロ）は容器外壁に貼付設置するフロート付き磁石格納ケースでそれぞれのフロート付き磁石は容器液面の移動に連動し容器内の液体窒素レベルを示す。
【符号の説明】
【００１１】１  生物試料保存用液体窒素容器
２  キャニスター
３  内部格納ケース
４  フロート
５  磁石
６  フロート
７  磁石
８  目盛
９  外部格納ケース
【図１】
0003171607.tif 000003
(57)【要約】【課題】ペットボトルキャップオープナーは種々の構造のものが知られているが、構造が複雑なものが多く、高齢者に取って一般的なものになっていない。ペットボトルのキャップを開けたり、プルトップ缶のタブを引き起こしたりすることは容易ではなく、簡単な構造で、故障が少なく、使いやすく、衛生的であり、そして経済的な用品が求められる。【解決手段】円形のキャップ抱持部２から二方向に伸びた、棒状の把手部の一方の先端に平たい形状の、プルタブ起こしとプルトップ開フタ部を付設した、細口ビン用キャップオープナーを提供する。【選択図】図１
0003171347.tif 000002
【実用新案登録請求の範囲】
【請求項１】
本考案のキャップ抱持部２から二方向に伸びた、棒状の把手部の一方の先端に平たい形状の、プルタブ起こしとプルトップ開フタ部を付設した、細口ビン用キャップオープナー。
【考案の詳細な説明】
【技術分野】
【０００１】
本考案は、主としてペットボトルの栓開口を行うキャップオープナーに関するものである。
【背景技術】
【０００２】
キャップオープナーは種々の構造のものが知られているが、壊れにくさ、使い易さ、及び衛生面等の総合的な観点からは十分なものはと言えない。
【先行技術文献】
【特許文献】
【０００３】
【特許文献１】実登３０３７４３５  公報
【特許文献２】実登３０４７９６７  公報
【考案の概要】
【考案が解決しようとする課題】
【０００４】
一般的に高齢者にとっては、ペットボトルのキャップや、プルトップ缶のフタを開けることは容易ではない。簡単な構造で、故障が少なく、使いやすく、衛生的であり、そして経済的な用品が求められる。
【課題を解決するための手段】
【０００５】
本考案の、キャップ抱持部２と把手部１は、弾力性のある構造とする。
【０００６】
本考案の、キャップ抱持部２の内面の縦凹凸３は、キャップとの接触抵抗を増し、キャップの抱持をより強力にするためものである。
【０００７】
本考案の抱持部２と把手部１とで、ペットボトルのキャップを抱持し、反時計方向に回すことによりキャップを開ける。
【０００８】
本考案の、把手部１の一方の先端を平たい形状とし、プルタブ起こし具、及び、プルトップ開フタ具とする。
【考案の効果】
【０００９】
本考案のキャップオープナーは形状から、キャップの大小にかかわらず、抱持部２にキャップを挿入し易く、力の弱い者であっても把手部１をにぎり、反時計方向に回すことによりキャップを開けることが出来る。
【００１０】
本考案の把手部１の先端４を、プルトップ缶のタブＢの下から差し入れ、タブＢを少し持ち上げることにより、タブを掴める状態に出来る。
【００１１】
本考案の把手部１の先端４をプルトップ缶のタブＢの下から差し入れ、タブＢを少し持ち上げ、持ち上げることにより出来たタブＢの穴Ｃに、把手部１の先端４をプルトップ缶のフタ部上まで差し込み、把手部１を上に起こすことにより、力の弱い者でも開フタ出来る。
【図面の簡単な説明】
【００１２】
【図１】本キャップオープナーの斜視図である。
【図２】本キャップオープナーの正面図である。
【図３】図３は本キャップオープナーのペットボトル開栓方法を示した説明図である。（実施例（１））
【図４】図４は本キャップオープナーのプルトップ起こし方法を示した説明図である。（実施例（2））
【図５】図５は本キャップオープナーのプルトップ開フタ方法を示した説明図である。（実施例（3））
【考案を実施するための形態】
【００１３】
図（３）〜（5）の形態である。
【実施例】
【００１４】
図３の実施例（１）はキャップオープナーとして使用する場合で、抱持部２にペットボトルキャップＡを挿入し、把手部１を握りキャップＡを抱持した状態で、把手部を反時計方向に回し開栓する。
【００１５】
図４の実施例（２）はプルトップ起こしで、把手部１の先端４をプルトップ缶のタブＢの下から差し入れ、タブＢを少し持ち上げてタブを指で掴める状態にする。
【００１６】
図５の実施例（３）はプルトップ開フタ具で、把手部１の先端４をタブＢの下から差し入れ、タブＢを少し持ち上げ、持ち上げることにより出来たタブＢの穴Ｃに、把手部１の先端４をプルトップのフタ部上まで差し込み、把手部１を上に起こすことにより開フタする。
【符号の説明】
【００１７】
１  把手部
２  抱持部
３  抱持部内面
４  プルタブ起こし及びプルトップ開フタ部
Ａ  ペットボトルキャップ
Ｂ  プルタブ
Ｃ  プルタブの穴
【図１】
0003171347.tif 000003
【図２】
0003171347.tif 000004
【図３】
0003171347.tif 000005
【図４】
0003171347.tif 000006
【図５】
0003171347.tif 000007
(57)【要約】      （修正有）【課題】バイキング形式のレストランにおいて快適に心配なく且つスムーズに食事ができるショルダー袋を提供する。【解決手段】破れにくく丈夫な紙製の袋を形からかけて使用する。【選択図】図１
0003171364.tif 000002
【実用新案登録請求の範囲】
【請求項１】
バイキング形式の食事時、破れにくい丈夫な紙製で出来た袋で肩から掛けて貴重品や大切な物をその袋に入れ、食事を快適に且つスムーズにする紙製のショルダー袋。
【考案の詳細な説明】
【背景技術】
【０００１】
バッグを持ってのバイキングは不便で嵩張るため、両手を使えればお皿に取りやすい。
【０００２】
一人は勿論の事、家族や友人と一緒にレストランに行ってもバッグや荷物を椅子に置いて料理を取りに行ってる間、誰かがテーブルに残り交代で荷物を見ている状態。
【０００３】
バイキング形式の食事をみんなで快適に且つスムーズに行動が出来る。
【考案の概要】
【考案が解決しようとする課題】
【０００４】
従来、バイキング形式の食事の際、バッグや大切な物を心配で椅子に置いて行けず、貴重品や大切な物だけ持って自由にバイキングを楽しむ事が出来る。
【課題を解決するための手段】
【０００５】
バッグを持ってのバイキング形式の料理を取るのは不便であり、嵩張るバッグは椅子に置いて家族や友達にバッグなどを見てもらわなくても、みんな一緒に席を離れて料理をお皿に取る事が出来る事を可能にしたもの。
【考案の効果】
【０００６】
バイキング形式のレストランやホテルは子供も大人も楽しい食事です。バイキング形式のレストランも近年多く、女性は必ずバッグを持参しています。バッグを持っては嵩張ってお皿には取りづらく椅子にバッグを置いて席を離れるのも心配で貴重品や大切な物だけ考案の袋に入れて、肩から斜めに掛ければ皆一緒に行動でき、更に両手を使えて食事の時も嵩張らず肩から掛けたまま食事が出来る。
【図面の簡単な説明】
【０００７】
【図１】本考案の使用状態図１。
【図２】本考案の実施例の立体図(a)縦の長さ（ｂ）横の長さ。
【図３】本考案の袋状態の上をマジックテープ（登録商標）などで止めた図。
【図４】本考案の実施例の襷部分で示す図(c)長さ(d)幅。
【図５】本考案の全体図。
【考案を実施するための形態】
【０００８】
本考案は貴重品又は大切な物をバッグから取り出し、考案の袋に入れて肩から斜めに掛けて嵩張るバッグは椅子に置き、皆一緒に席を離れバイキング形式の食事を取りに行き快適且つスムーズに食事が出来る。
【実施例１】
【０００９】
図１は肩から斜めに掛けた袋で丈夫な紙製で紙以外の油紙又はビニールなどの重さに耐えられる品質で、引っ張っても破れにくい品質が望ましい。  
【００１０】
図２は袋の大きさを示す。縦２５cm（a)横２０cm(b)です。
【００１１】
図３は袋の入り口を閉める部分で、マジックテープ（登録商標）又はボタンなどで閉じる。
【００１２】
図４は襷の長さを示す、１m２０cm（ｃ）襷の幅は３cm(d)です。
【００１３】
図２と同じ品質で丈夫な品質が望ましい。
【００１４】
図５は図２と図４を繋いだ部分を示ししっかりと取り付ける。
【産業上の利用可能性】
【００１５】
ホテルやレストランも近年はバイキング形式が多く、またホテルでのパーティー、その他の例としてダンスパーティーの時などもバイキング形式があります。
片手にバッグを持っては嵩張り、お皿に取りづらいです。ホテルに宿泊の場合でもバイキング形式が多く、浴衣の場合も食事後、お土産などを買う予定また遊戯場などの予定の際、考案のショルダー袋に部屋の鍵、貴重品を入れておく事によって部屋まで貴重品等を取りに戻る二度手間を省く事が可能になる。本考案のカラーは白だけでなく、色物また模様もあれば楽しめる。
レストラン、ホテル側としては本考案についておしぼり等と同様のサービスの一環として考えたい。使い捨ての商品として実用するため費用は安価な品質が望ましいが、破れにくく丈夫な紙製で財布等の軽量の重さに耐えられる品質。
【符号の説明】
【００１６】
１  ショルダー袋
２  袋の部分
３  袋を閉じる部分
４  襷の部分
５  接合部分
【図２】
0003171364.tif 000003
【図３】
0003171364.tif 000004
【図４】
0003171364.tif 000005
【図５】
0003171364.tif 000006
【図１】
0003171364.tif 000007
(57)【要約】      （修正有）【課題】簡単に食すことができるクッパのインスタント食品を提供する。【解決手段】上口縁部を、蓋シート１ａで剥離可能に閉塞し、耐水性素材で構成された容器１を設け、該容器１内に、乾燥したスープ部材２を収納した袋２ａと、加工米３を収納した袋３ａを設け、容器１内に、加工米３を袋３ａより取り出し、該加工米と、袋２ａより取り出したスープ部材２を入れ、これらの上からお湯を入れて、クッパとなる。【選択図】図１
0003171396.tif 000002
【実用新案登録請求の範囲】
【請求項１】
上口縁部を、蓋シート（１ａ）で剥離可能に閉塞し、耐水性素材で構成された容器（１）を設け、該容器（１）内に、乾燥したスープ部材（２）を収納した袋（２ａ）と、加工米（３）を収納した袋（３ａ）を設け、前記容器（１）内に、加工米（３）を袋（３ａ）より取り出し、該ご飯（Ｙ）と、袋（２ａ）より取り出したスープ部材（２）を入れ、これらの上からお湯（Ｘ）を入れて、クッパとなることを特徴とする即席食品。
【考案の詳細な説明】
【技術分野】
【０００１】
この考案は、即席食品に関し、特に、即席クッパに関するものである。
【背景技術】
【０００２】
昨今、即席の食品、即ち，インスタント食品は種々存在しており、ラーメン、うどん、焼きそば等のめん類に関するものが多く販売されている。
【０００３】
しかし、近年、我が国では、日本料理はもとより、西洋料理、韓国料理、中華料理、エスニック料理等、世界各国の料理が食卓を賑わすようになり、これらの外国の料理に対しても違和感が全くなく、手短に、かつ簡単に食したいものである。
【０００４】
そこで、韓国料理の一つで、肉・魚介類・野菜など煮たスープをご飯にかけた「クッパ」も、日本人にとって、食べやすく、しかも美味しく、人気のある食べ物である。「クッ」は「汁物」の意であり、「パ」は「ご飯」の意である。
【０００５】
そして、即席用のご飯について、お湯や調味液を添加して電子レンジ調理加熱などの短時間加熱で雑炊などの調理物を容易に得る加工米飯調理物は存在する。例えば、特許文献１のように。
【先行技術文献】
【特許文献】
【０００６】
【特許文献１】特開２００６−３４１９０号公報
【０００７】
しかし、この内容には、雑炊、茶漬け、五目ご飯、クッパの記載はあるが、これらの加工米飯や、加工米飯の製法に関するものであり、容器内で、ご飯に、適度な味つきのスープをかけて食べる即席クッパとは異なるものである。
【考案の概要】
【考案が解決しようとする課題】
【０００８】
そこでこの考案は、上記のように日本人にも馴染みの、「クッパ」におけるインスタント食品を開発・提供するものである。
【課題を解決するための手段】
【０００９】
この考案である課題を解決するための手段は、熱湯を降り注ぐだけで手軽に食することができ、そのため、お湯、特に、熱湯に耐える容器、加工米、そして、粉末状あるいは液体状のスープ部材をセットにした即席食品からなるものである。
【考案の効果】
【００１０】
この考案によると、容器内に収納されている、加工米、スープ部材を、それぞれ袋から取り出して、容器内に入れ、これらにお湯をかけることにより、クッパとして簡単に食することができる等の極めて有益な効果を奏する。
【図面の簡単な説明】
【００１１】
【図１】この考案の一実施例を示す説明図である。
【図２】この考案の使用状態の一実施例を示す一部欠截斜視図である。
【考案を実施するための形態】
【００１２】
この考案は、韓国料理のクッパを、インスタントで味わうことのできる即席食品からなるものである。
【実施例】
【００１３】
この考案の一実施例を図面に基づいて詳述すると、上口縁部を、蓋シート（１ａ）で剥離可能に閉塞し、耐水性素材で構成された容器（１）を設け、該容器（１）内に、乾燥したスープ部材（２）を収納した袋（２ａ）と、加工米（３）を収納した袋（３ａ）を設け、前記容器（１）内に、加工米（３）を袋（３ａ）より取り出し、該加工米（Ｙ）と、袋（２ａ）より取り出したスープ部材（２）を入れ、これらの上からお湯（Ｘ）を入れて、クッパとなることを特徴とする即席食品から構成されるものである。
【００１４】
尚、容器（１）は、即席ラーメン等に用いられている公知のどんぶり状の容器であって、蓋シート（１ａ）を半分程度、容器の上口縁部から剥がすことにより開口し、内部に収納した，スープ部材（２）を収納した袋（２ａ）や、ご飯（３）を収納した袋（３ａ）が取り出せるよう構成したものである。
【００１５】
また、容器（１）内に、それぞれの袋（２ａ）（３ａ）から、スープ部材（２）やご飯（３）を取り出した後、やかん（Ｙ）よりお湯（Ｘ）を適量ほど入れた際、前記蓋シート（１ａ）で容器（１）の上口縁部に再び装着するものである。
【００１６】
また、加工米（３）は、加工ご飯とも言われ、この加工米（３）は、ごはんを空気が入らないよう密閉した容器にパックした包装米飯（レトルト米飯や無菌包装米飯）や、炊きあがったごはんをマイナス４０°Ｃ以下で急速冷凍した冷凍米飯や、お米を炊いた（アルファ化した）後、熱風などを利用した特殊な方法で階層させて作られたアルファ化米をいう。そしてこの加工米（３）を袋（３ａ）に収納したものである。
【００１７】
さらに、スープ部材（２）は、乾燥肉、食塩、浮き身卵、ビーフエキス等の主材料と、煎りごま、乾燥ねぎ、粉末しょうゆ、砂糖、アミノ酸等の調味料の副材料からなり、これらは粉末状あるいは／または、液状であり、お湯（Ｘ）を注ぐことにより、溶けてあるいは希釈されてスープとなるものである。
【産業上の利用可能性】
【００１８】
この考案によると、即席食品の技術を確立し、実施・販売することにより産業上の利用可能性がある。
【符号の説明】
【００１９】
１  容器
１ａ  蓋シート
２  スープ部材
２ａ  袋
３  加工米
３ａ  袋
Ｘ  お湯
【図１】
0003171396.tif 000003
【図２】
0003171396.tif 000004
(57)【要約】      （修正有）【課題】予めフィルシートで作成したうちわに、市販されているボールペンを組み合わせ、うちわの持ち手として利用できるような加工を施す事で、従来のうちわに比べ販促効果、宣伝効果を高める事が出来る販促用うちわを提供する。【解決手段】フィルムシートを加工し、全体をうちわの用途に合わせた形状１にトムソン型などを使用し打ち抜くときに、本体の下部に市販のボールペン２のフック部ｃが固定できるような加工を施して販促用うちわとする。【選択図】図１
0003171329.tif 000002
【実用新案登録請求の範囲】
【請求項１】
ポリプロピレンのフィルム材料を用い作成したうちわにトムソン型などで型抜きした接合部を設け、その接合部にボールペンを組み合わせる事で「持ち手付きのうちわ」として使用できる所を特徴とする「販促用うちわ」
【請求項２】
前記の材料に対する印刷は、オフセット印刷を用いて絵や文字、写真などを印刷した請求項１に記載の販促用うちわ。
【考案の詳細な説明】
【技術分野】
【０００１】  本考案は主として、フイルムシート材料に対して多目的に使用できる利便性の高いノベルティー商品に関するものである。
【背景技術】
【０００２】  従来のうちわは、専用の持ち手と組み合わせる事で商品として成立していた。また、広告掲載範囲はうちわ本体に限られていた。
【考案が解決しようとする課題】
【０００３】  従来のうちわは、専用の持ち手を組み合わせる事で商品として成立していたが、持ち手に手に入りやすい市販のボールペンを使用する事ができるように、うちわ本体に加工を施した本考案により、広告物などに使用した場合の販促効果の向上と、筆記具の携帯の煩わしさの解消が期待できる。
【０００４】  少なからずプラスチック製品は廃棄処理の段階で環境に負荷をかけてしまうという課題を持っているが、本考案である販促用うちわの材料シート素材を再生樹脂材料もしくはトウモロコシ等から製造されるＰＬＡ《ポリ乳酸》を主原料とした生分解性プラスチック材料を使用して作成することで環境負荷の課題を解決することができる。
【課題を解決するための手段】
【０００５】  予めうちわ本体に、汎用的なボールペンに付属しているフック部分を用い、組み込む事で「ボールペン付きうちわ」として成立するような接合部をトムソン型などで打ち抜く事でもうける。また、オフセット印刷を用いてパターン等を印刷することで、共通の材料で多岐にわたる製品のバリエーションを作成することも出来、ノベルティー効果を高めることが出来る。
【考案実施の形態】
【０００６】  図１は本考案の販促用うちわ（１）と組み合わせて使用するボールペン（２）の視図である。図１で販促用うちわ（１）の下部中心に位置する穴（ａ）穴（ｂ）はあらかじめトムソン型などで打ち抜かれている。（ｃ）は市販のボールペン（２）にあらかじめ付属しているフック部である。
【０００７】  図２は本考案の販促用うちわ（１）の完成図である。図１で販促用うちわ（１）は１枚のフィルムシートをトムソン型などで用途に合わせた形状に打ち抜き同時にボールペンとの接合部である、穴（ａ）穴（ｂ）を設ける。この穴は市販のボールペン（２）のフック部（ｃ）の形状にあわせて設けられている。
【０００８】  この販促用うちわ（１）の材料はシートの素材が光透過性を有する再生樹脂材料もしくはトウモロコシ等から製造されるＰＬＡ《ポリ乳酸》を主原料としたプラスチック材料を使用して環境に優しい商品として作成することもできる。環境に優しい商品として使用する場合、宣伝広告効果を更に高めることができる。
【図面の簡単な説明】
【０００９】
【図１】本考案の販促用うちわの視図
【図２】図１の販促用うちわとボールペンとの接合図
【符号の説明】
【００１０】１  販促用うちわ
２  ボールペン
ａ  上部穴
ｂ  下部穴
ｃ  フック部
【図１】
0003171329.tif 000003
【図２】
0003171329.tif 000004
(57)【要約】      （修正有）【課題】Ｓ字型フック本体の素材径を太くし、両端部に同素材にて設けた素材径以上の膨らみを有し対重量物且つ危険防止をするＳ字型フックを提供する。【解決手段】Ｓ字型フック１の素材径をφ８ｍｍ〜φ１３ｍｍの鉄及びステンレス鋼を使用して荷重４０ｋｇ〜１２０ｋｇの物品を連結又は吊り、同素材で両端部処理をした素材径以上の膨らみ２、２ａを設ける事により危険防止に役立つ。【選択図】図１
0003171322.tif 000002
【実用新案登録請求の範囲】
【請求項１】
Ｓ字型フック本体の素材径がφ８ｍｍ〜φ１３ｍｍの鉄及びステンレス鋼であり両端部に同素材にて加工された素材径以上の膨らみを設けた所を特徴とするＳ字型フック。
【考案の詳細な説明】
【技術分野】
【０００１】本考案は、φ８ｍｍ〜φ１３ｍｍの鉄及びステンレス鋼を素材としたＳ字型フックであり、両端を同素材にて素材径以上の膨らみを設けた整理用フックに関するものである。
【背景技術】
【０００２】整理用具において４０ｋｇ〜１２０ｋｇといった範囲の対象物品を連結母体に連結又は吊るすには細材のＳ字型フックを一ヶ所に複数本使用したり、仮に太材を使用したとしても、素材を切断し両端部処理なしでそのまま曲げ加工をしただけの物しかなく、物品の滑り抜け又は両端部での物品や人体への接触による損傷等があった。
【先行技術文献】
【非特許文献】
【０００３】
【非特許文献１】ｈｔｔｐ：／／ｗｗｗ．ｍｉｚｕｍｏｔｏ−ｍｍ．ｃｏ．ｊｐ／ｐａｒｔｓ１２１＿ｊ．ｈｔｍｌ
【非特許文献２】ｈｔｔｐ：／／ｗｗｗ．ｎｉｓｓａ．ｃｏ．ｊｐ／ｐａｒｔｓ／ｐ−ｉｒｏｎ３．ｈｔｍｌ
【考案の概要】
【考案が解決しようとする課題】
【０００４】複数本の細材Ｓ字型フック使用ではスペース等が問題となり仮に複数本の細材Ｓ字型フック使用でその中の一本が使用不能となれば残りのフックに負担がかかり荷重オーバーとなる、両端面も切断したままの状態では接触により物品又は人体の損傷に繋がり兼ねず同素材径のままだと物品の滑り抜けもありとても危険。また両端部にキャップ等の被覆物を被せた物もあるが被覆物の抜け落ちやコスト面が課題となる。従って素材径を太くし、同素材での両端部処理を施す事により前述の課題を解決しようとするものである。
【課題を解決するための手段】
【０００５】本考案は、Ｓ字型フックの素材径をφ８ｍｍ〜φ１３ｍｍの鉄及びステンレス鋼を使用して連結母体と荷重４０ｋｇ〜１２０ｋｇの対象物に対応し、同素材での両端部処理で素材径以上の膨らみを設ける事により問題を解決している。
【考案の効果】
【０００６】上記の様に、本考案の強力Ｓ字型フックは素材径φ８ｍｍ〜φ１３ｍｍのＳ字型フック使用で対象物４０ｋｇ〜１２０ｋｇの物品の連結や吊り下げができ、同素材で両端部処理を施しているので物品の滑り落ち又は端面部接触での物品や人体の損傷も無く安心安全に使用できる。
【図面の簡単な説明】
【０００７】
【図１】本考案の強力Ｓ字型フックの一実施例を示す側面図である。
【図２】本考案の強力Ｓ字型フックの正面図である。
【図３】本考案の強力Ｓ字型フックの平面図である。
【考案を実施するための形態】
【０００８】Ｓ字型フック本体の上部半円内側に連結母体となる物品を連結し、Ｓ字型フック本体下部の半円内側に連結したい物品を連結又は吊るす。また人体や物品がＳ字型フック本体端部に接触しても端面処理により損傷は免れる。
【実施例】
【０００９】以下、添付図面に従って一実施例を説明する。１は鉄又はステンレス鋼素材のφ８ｍｍ〜φ１３ｍｍ径のＳ字型フック本体、２と２ａは同素材にて処理された素材径以上の膨らみでありこの膨らみにより物品の滑り抜けや物品、人体の損傷を防ぎ、Ｓ字型フック上部半円３に連結母体物４を連結し、下部半円内側３ａにて連結したい連結対象物品４ａを連結又は吊るす。
【符号の説明】
【００１０】１    強力Ｓ字型フック本体
２    端面処理した膨らみ
２ａ  端面処理した膨らみ
３    連結母体物連結部分
３ａ  対象物品連結部分
５    連結母体物
６    連結対象物品
【図１】
0003171322.tif 000003
【図２】
0003171322.tif 000004
【図３】
0003171322.tif 000005